(57)【要約】  本発明は、少なくとも１つのバーナー（２）を平坦に配列した金属ストリップ鋳造装置の分配部（５）を暖め、乾燥、及び/又は、温度維持するためのバーナー配列（１）に関し、前記バーナー（２）が、細孔バーナー（１０）として構成されている。
2010523926.tif 000002
【特許請求の範囲】
【請求項１】
少なくとも１つのバーナー（２）を平坦に配列した金属ストリップ鋳造装置の分配部（５）を暖め、乾燥、及び/又は、温度維持するためのバーナー配列（１）において、
前記バーナー（２）が、細孔バーナー（１０）として構成されていることを特徴とするバーナー配列。
【請求項２】
請求項１に記載のバーナー配列において、
細孔バーナー（１０）は、細孔バーナーセグメント（１１、１２、１３）を備えることを特徴とするバーナー配列。
【請求項３】
請求項２に記載のバーナー配列において、
細孔バーナー（１０）の細孔バーナーセグメント（１１、１２、１３）は、平坦に列をなして、又は、列をなして配置されていることを特徴とするバーナー配列。
【請求項４】
請求項１乃至３のいずれか１つに記載のバーナー配列において、
細孔バーナー（１０）の細孔バーナーセグメント（１１、１２、１３）は、引き込み路（１４、１５）を用いて、燃料及び/又は酸素キャリアを供給することを特徴とするバーナー配列。
【請求項５】
請求項１乃至４のいずれか１つに記載のバーナー配列において、
少なくとも１つの引き込み路（１４、１５）は、共通の引き込み路を介して、燃料及び/又は酸素キャリアを供給することを特徴とするバーナー配列。
【請求項６】
請求項１乃至５のいずれか１つに記載のバーナー配列において、
送風機（６）が、酸素キャリアの供給のために、引き込み路（１４、１５）上に設けられることを特徴とするバーナー配列。
【請求項７】
請求項１乃至６のいずれか１つに記載のバーナー配列において、
細孔バーナー配列（１０）が、関節を用いて旋廻可能である旋廻アーム（３）に備えられていることを特徴とするバーナー配列。
【請求項８】
請求項１乃至７のいずれか１つに記載のバーナー配列において、
送風機（６）が、旋廻アーム（３）に備えられ、かつ、
送風機（６）が、旋廻可能に配置されていることを特徴とするバーナー配列。
【請求項９】
請求項１乃至８のいずれか１つに記載のバーナー配列の制御のための方法において、
増加した熱強度又は火力に依存して、細孔バーナーセグメント（１１、１２、１３）は、スイッチが切られ、及び/又は、スイッチが入ることを特徴とするバーナー配列。
【請求項１０】
請求項１乃至９のいずれか１つに記載のバーナー配列の制御のための方法において、
セグメント（１１、１２、１３）は、スイッチが切られ、又は、スイッチが入れられ、
これらのセグメントは、少なくとも交互に列で配置され、又は、格子模様に配置されていることを特徴とするバーナー配列。
【発明の詳細な説明】
【技術分野】
【０００１】
本発明は、特に、金属ストリップ鋳造装置の分配部を特に暖め、乾燥、及び/又は、温度維持するためのバーナー配列に関する。
【背景技術】
【０００２】
例えば、鋳造装置を備えた製鉄所のような、溶解工場で、溶解した液状の金属は、通常、ラドルを用いて、金属ストリップ鋳造装置の注ぎ位置に運ばれる。高温の液状金属は、金属ストリップ鋳造装置の鋳型に流し込む前に、例えば、分配溝のような、分配部によって、相互の衝撃を和らげられている。分配箇所は、永続的な注ぎラドルの交代を実行するのに役に立ち、それゆえ、金属の連続注入を実行可能である。分配部は、通常は、周期的に新しく交換され、かつ、必要であれば、いずれのステップの前に新しく交換され、かつ、浸漬管を供えている。その後に、分配部は乾燥され、かつ、暖められる。その際、暖めるために、天然ガスのような化石燃料、及び、例えば空気のような酸化物を用いるバーナーが使用される。そして、通常の方法は、市場で購入可能なバーナーを用い、そのバーナーは、熱蓋に取り付けられる。
【０００３】
炎を生成する通常のバーナーの使用によって、高速度の排気ガスが生成され、この排気ガスは、固まって形成される傾向があり、かつ、わずかな放射エネルギーを備えている。
【０００４】
炎によって、個々の暖めが行われ、それは、炎が直接当たるため、局所的な加熱が行われ、この場合、炎が離れているため、別の領域は、弱く加熱される。それによって、分配部に応力が生じ、それが、ひび割れを生じさせ、そのために、全体の装置の停止を引き起こす。更に、炎の均一でない暖めによって、乾燥期間が長くなり、分配部の寿命が短くなり、かつ、同時に、エネルギー消費量が非常に高くなる。同様に、ＣＯ2の排出量も非常に多くなる。それによって、大きなひび割れが頻繁に生成されるため、分配部の壁材料の消耗が激しくなる。それによって、装置が経済的に作成されないために、エネルギー供給のためのコストが高くなり、かつ、それ以上に、燃焼排気ガスの排出量が非常に多くなり、全体として相対的に環境に優しくなく、これは、温室効果についての議論の最終期間で、非常に不利となる。
【０００５】
このバーナー装置は、例えば、韓国特許出願公開第１０２００３００５３７３号明細書、韓国特許出願公開第１０２００３００２１７２８号明細書、韓国特許出願公開第１０２００４００１１７１６号明細書、韓国特許出願公開第１０２００１００９１０６８、及び、韓国特許出願公開第０９１２２８５４号明細書によって公知である。
【先行技術文献】
【特許文献】
【０００６】
【特許文献１】韓国特許出願公開第１０２００３００５３７３号明細書
【特許文献２】韓国特許出願公開第１０２００３００２１７２８号明細書
【特許文献３】韓国特許出願公開第１０２００４００１１７１６号明細書
【特許文献４】韓国特許出願公開第１０２００１００９１０６８号明細書
【特許文献５】韓国特許出願公開第０９１２２８５４号明細書
【発明の概要】
【発明が解決しようとする課題】
【０００７】
本発明の課題は、本発明は、特に、金属ストリップ鋳造装置の分配部を特に暖め、乾燥、及び/又は、温度維持するためのバーナー配列を供給することであり、投入されたエネルギーをより有効活用すること、二酸化炭素の排出量を減少すること、及び、装置の高い使い勝手の装置を供給することである。
【課題を解決するための手段】
【０００８】
バーナー配列に関する課題は、少なくとも１つのバーナーを平坦に配列した金属ストリップ鋳造装置の分配部を暖め、乾燥、及び/又は、温度維持するためのバーナー配列で解決され、その場合、前記バーナーが、細孔バーナーとして構成されている。
【０００９】
更に、細孔バーナー（１０）は、細孔バーナーセグメント（１１、１２、１３）を備えることが特に好ましい。更に、細孔バーナーは、１つのセグメント又は複数のセグメントを備え、それらのセグメントは、互いに接続され、又は、セグメントの間に少なくとも１つの小さな透き間が隣接して配置されている。接続しているセグメントは、本発明によると、接続手段を用いて接続され、及び/又は、この例としては、フレームを用いて固定される。その結果、セグメントの隣接した配置によって、統一の取れたバーナーが実現される。好ましい実施例の場合、細孔バーナーの細孔バーナーセグメントは、隣接した列で配置されている場合に有効である。
【００１０】
燃料と酸素キャリアを供給するために、細孔バーナーセグメントそれぞれに、引き込み路を用いて、燃料及び/又は酸素キャリアが供給される。更に、少なくとも１つの引き込み路は、共通の引き込み路を介して、燃料及び/又は酸素キャリアを供給することが好ましい。更に、更なる実施例の場合、送風機が、酸素キャリアの供給のために、引き込み路上に設けられることが好ましい。もう更なる実施例の場合は、送風機が、酸素キャリアの供給のために、引き込み路上に設けられることが好ましい。それによって、送風機を用いて、空気のように、酸素キャリアが、引き込み路を介して、セグメントに運ばれる。
【００１１】
バーナー配列の適用のために、細孔バーナー配列が、旋廻可能な固定部、又は、関節を用いて旋廻可能に構成された旋廻アームに備えられることが好ましい。更に、更なる実施例の場合、送風機が、同様に、固定部又は旋廻アームに備えられ、かつ、送風機が、旋廻可能に配置されてもいることが有効である。
【００１２】
方法に関する課題は、増加した熱強度又は火力に依存して、細孔バーナーセグメントは、スイッチが切られ、及び/又は、スイッチが入るバーナー配列の制御のための方法によって解決される。更に、セグメントは、スイッチが切られ、又は、スイッチが入れられ、これらのセグメントは、少なくとも交互に列で配置され、又は、格子模様に配置されていることが有効である。
【００１３】
好ましい更なる構成は、従属請求項で記載されている。
【００１４】
以下に、図面を用いて、実施例に基づく本発明をより詳細に説明する。
【図面の簡単な説明】
【００１５】
【図１】分配部の暖め、乾燥、及び/又は、温度維持するための本発明によるバーナー配列の図面を示したものである。
【図２】図１によるバーナー配列の上面図を示したものである。
【発明を実施するための形態】
【００１６】
図１は、特に、金属ストリップ鋳造装置の分配部の暖め、乾燥、及び/又は、温度維持するための本発明によるバーナー配列１の図面を示したものである。その際、バーナー配列１は、バーナー２を備え、このバーナー２は、固定部３に収容され、かつ、このバーナー２は、旋廻軸４を備えた固定部３によって、旋廻可能に構成されている。固定部３は、それゆえ、旋廻アームを構成する。その際、熱位置８のように、バーナー２は、分配部５上にあり、かつ、この暖め部又はバーナーは、駐車位置９に、上に折れることが可能であり、その結果、それが、ほぼ垂直に立っており、かつ、分配部５は、さらなる運転のために、ほぼ自由に動くことができる。これらの位置の間で、旋廻アームは、例えば、油圧装置又は圧縮空気を用いて、旋廻可能に動作している。
【００１７】
その際、バーナー２は、本発明によると、細孔バーナー１０として構成されている。細孔バーナー１０は、ガスバーナーとして、気体-空気-混合物の燃焼を、ほとんど又は完全に、炎を広がった構成にさせることがない多孔性の構成又はセルで許容するという好ましい特徴を備えている。結果として、炎のない、容積が十分な気体-空気-混合物の燃焼を達成することができる。このように、多孔性の構成で、燃焼が達成され、気体-空気-混合物の燃焼の開始の後で、反応生成物としての排気ガスの流れが、出口側で生成される。
【００１８】
例えば、空気のような酸素キャリアは、例えば、送風機６を用いて、細孔バーナー１０に吹き込まれる。その際、酸素キャリアは、送風機６によって吸引され、かつ、供給路又は供給引き込み路７を介して、細孔バーナー１０として構成されるバーナーに供給されている。
【００１９】
図２で記載された細孔バーナー１０は、好ましくは、細孔バーナーのいくつかのセグメントから構成される。そのうえ、個々のセグメント１１、１２、１３は、ほぼ平坦に配列され、かつ、少なくとも１つの引き込み路１４、１５へ接続されている。この引き込み路１４、１５を用いて、燃料及び/又は酸素キャリアがそれぞれのセグメントに供給されている。それゆえ、上記のように、空気又は酸素キャリアが、送風機６を介して、細孔バーナーセグメントに運ばれる。他の実施例の場合でも、引き込み路が、燃料-空気-混合物のために設けられている。
【００２０】
平坦に配列されたセグメントは、更に好ましくは、わずかなすき間間隔で、並んで配列され、その結果、細孔バーナーセグメントの多くの列の平坦な配列が備えられている。更に、細孔バーナーセグメントは、固定枠のような固定手段を用いて固定され、その固定手段は、旋廻アームと結合している。その結果、細孔バーナーセグメントの平坦な配列は、旋廻アームと共に旋廻可能である。
【００２１】
細孔バーナーは、高温排気ガス流と、熱放射とを生成し、それらが、分配部を暖め、乾燥させ、熱する、又は、温度を最適化するために、分配部上に向けられている。それによって、分配部の内部領域又は表面に、高温排気ガスを生じさせ、それゆえ、全体の構成に対して作用する。エネルギーのより高い部分を熱放射に変換されることによって、分配部が、同様に、非常に効率よく暖められることが可能である。
【００２２】
特に、好ましくは、細孔バーナーの構成は、ほぼ平坦な配列で構成され、かつ、この配列は、細孔バーナーの個々のセグメントから構成される。個々の列、又は、セグメントの列は、互いに依存することなく、スイッチが入れられたり、又は、スイッチが切られたりすることによって、好ましくは、制御されている。
【００２３】
更に、増大する熱強度又は火力に応じて、全ての細孔バーナーセグメントのスイッチが入れられたり、又は、個々のセグメントのスイッチが切られたりする。好ましくは、セグメントは、スイッチが入れられたり、又は、スイッチが切られたりすることが可能であり、これらのセグメントは、少なくとも交互に列で配置される。更に、好ましくは、格子状に配置されたセグメントは、スイッチが入れられたり、又は、スイッチが切れられたりし、その結果、セグメントの一部分のみが動作することが可能である。
【符号の説明】
【００２４】
１．  バーナー配列
２．バーナー
３．  固定部
４．  旋廻軸
５．  分配部
６．  送風機
７．  供給路又は供給引き込み路
８．  熱位置
９．  駐車位置
１０．  細孔バーナー
１１．  セグメント
１２．  セグメント
１３．  セグメント
１４．  引き込み路
１５．  引き込み路
【図１】
2010523926.tif 000003
【図２】
2010523926.tif 000004
【国際調査報告】
2010523926.tif 000005
2010523926.tif 000006
2010523926.tif 000007
2010523926.tif 000008
2010523926.tif 000009
2010523926.tif 000010